(57)【特許請求の範囲】
【請求項１】
戸建住宅において、主採光方位側の住宅外部壁を構成するコンクリート壁の壁面及び前記主採光方位とは反対方位側の住宅外部壁を構成するコンクリート壁の壁面に沿って、断熱パネルを介して相互に仕切られた外側通気空間と内側通気空間が設けられ、前記外側通気空間と内側通気空間の間にはこれらの空間を相互に連通させる連通手段が設けられ、基礎部の地上梁には床下換気孔が開閉可能に設けられ、屋根裏若しくは最上階の天井裏には１階の床下から前記外側通気空間及び／又は内側通気空間を通じて屋根裏若しくは最上階の天井裏に導入された空気を１階の床下若しくは屋外へ選択的に導く送風機が設けられ、間仕切り壁内には前記屋根裏若しくは最上階の天井裏と１階の床下とを連通させる壁裏通気空間が設けられ、該送風機が送り出す空気を各階の天井裏空間及び床下空間に導くための第１ダクトと、該送風機が送り出す空気を住宅外部へ導くための第２ダクトと、該送風機が送り出す空気を第１ダクト又は第２ダクトのどちらか一方へ送り出すように制御する気流方向切換弁が設けられていることを特徴とするエアーアクト構造を備えたコンクリート住宅。
【請求項２】
前記連通手段が、通気孔と、この通気孔に設けられたエアダンパーとから構成されていることを特徴とする請求項１に記載のエアーアクト構造を備えたコンクリート住宅。
【請求項３】
屋根部材の内部に屋根面に沿って広がる屋根通気空間が設けられ、この屋根通気空間は、前記外側通気空間及び／又は内側通気空間、前記屋根裏若しくは最上階の天井裏、の双方と連通していることを特徴とする請求項１に記載のエアーアクト構造を備えたコンクリート住宅。
【請求項４】
前記連通手段が各階の上部と下部に夫々設けられていることを特徴とする請求項１乃至３いずれかに記載のエアーアクト構造を備えたコンクリート住宅。
【請求項５】
共同住宅の各階において、主採光方位側の住宅外部壁を構成するコンクリート壁の壁面及び前記主採光方位とは反対方位側の住宅外部壁を構成するコンクリート壁の壁面に沿って、断熱パネルを介して相互に仕切られた外側通気空間と内側通気空間が設けられ、前記外側通気空間と内側通気空間の間にはこれらの空間を連通させる連通手段が設けられるとともにこの連通手段は主採光方位側では上部と下部に、反対方位側では少なくとも下部に設けられ、下部の連通手段はそれぞれ開閉可能に構成され、主採光方位側の前記外側通気空間には上部と下部に屋外連通口が設けられ、反対方位側の前記外側通気空間には少なくとも下部に屋外連通口が設けられ、天井裏には送風方向を逆転可能な送風機が設けられ、夏季には、反対方位側下部の前記連通手段を開けるとともに主採光方位側下部の前記連通手段を閉じ、前記送風機の送風方向を第１の向きに設定することにより、反対方位側の前記屋外連通口から外気を前記内側通気空間を通じて天井裏に導入し、導入した外気を主採光方位側の前記屋外連通口から排出し、冬季には、主採光方位側下部の前記連通手段を開けるとともに反対方位側下部の前記連通手段を閉じ、前記送風機の送風方向を第２の向きに設定することにより、主採光方位側の前記外側通気空間内の空気を主採光方位側上部の前記連通手段を通じて天井裏に導入し、導入した空気を反対方位側の前記内側通気空間を通じて床下に導入し、床下に導入した空気を主採光方位側の前記内側通気空間に導入することを特徴とするエアーアクト構造を備えたコンクリート住宅。
【請求項６】
主採光方位側の前記外側通気空間の外側に温室が設けられるとともにこの温室は外側通気空間の上部にある前記屋外連通口から下部にある前記屋外連通口にかけての部分を覆っていることを特徴とする請求項５に記載のエアーアクト構造を備えたコンクリート住宅。
【発明の詳細な説明】
【０００１】
【発明の属する技術分野】
本発明は、エアーアクト構造を備えたコンクリート住宅に関し、より詳しくは、夏と冬とで室内の温度差が大きくならず、冷暖房の消費電力を従来より大幅に低減することができるエアーアクト構造を備えたコンクリート住宅に関する。
尚、本明細書において、「エアーアクト構造」とは、住宅外壁部の内部に通気空間を形成するとともに、この通気空間を天井裏空間、床下空間等に連通させて居住空間の周りに空気流通路を形成し、また必要に応じてこの空気流通路を屋外と連通させ、この空気流通路内で空気を流通させることにより、居住空間と空気流通路との間で積極的に熱交換を行うことができる空気流通構造のことを指す。
【０００２】
【従来の技術】
住宅には大きく分けて、木造の住宅と、鉄筋コンクリート造の住宅とが存在する。木造住宅は比較的風通しが良く、また、木は蓄熱性が低いから、夏と冬とで室内温度の差がさほど大きくはならない。
これに対し、鉄筋コンクリート造の住宅は、夏季にはコンクリート壁及び屋上スラブが太陽光の熱を蓄え、これが冷房効率を大きく低下させている。また、冬季には、コンクリート壁及び屋上スラブが外気へ熱を放出し、これが暖房効率を大きく低下させている。
近年、エネルギーの節約が叫ばれる中、住宅業界では、冷暖房の消費電力を抑え得る住宅の開発努力がなされているが、未だ十分な効果を奏するものが生み出されていないのが実情である。
【０００３】
【発明が解決しようとする課題】
本発明は、このような実情に鑑みてなされたもので、夏と冬とで室内の温度差が大きくならず、冷暖房の消費電力を従来より大幅に低減することができるエアーアクト構造を備えたコンクリート住宅の提供を目的とする。
【０００４】
【課題を解決するための手段】
請求項１記載の発明は、戸建住宅において、主採光方位側の住宅外部壁を構成するコンクリート壁の壁面及び前記主採光方位とは反対方位側の住宅外部壁を構成するコンクリート壁の壁面に沿って、断熱パネルを介して相互に仕切られた外側通気空間と内側通気空間が設けられ、前記外側通気空間と内側通気空間の間にはこれらの空間を相互に連通させる連通手段が設けられ、基礎部の地上梁には床下換気孔が開閉可能に設けられ、屋根裏若しくは最上階の天井裏には１階の床下から前記外側通気空間及び／又は内側通気空間を通じて屋根裏若しくは最上階の天井裏に導入された空気を１階の床下若しくは屋外へ選択的に導く送風機が設けられ、間仕切り壁内には前記屋根裏若しくは最上階の天井裏と１階の床下とを連通させる壁裏通気空間が設けられ、該送風機が送り出す空気を各階の天井裏空間及び床下空間に導くための第１ダクトと、該送風機が送り出す空気を住宅外部へ導くための第２ダクトと、該送風機が送り出す空気を第一ダクト又は第二ダクトのどちらか一方へ送り出すように制御する気流方向切換弁が設けられていることを特徴とするエアーアクト構造を備えたコンクリート住宅を備えたコンクリート住宅である。
【０００５】
請求項２記載の発明は、前記連通手段が、通気孔と、この通気孔に設けられたエアダンパーとから構成されていることを特徴とする請求項１に記載のエアーアクト構造を備えたコンクリート住宅である。
【０００６】
請求項３記載の発明は、屋根部材の内部に屋根面に沿って広がる屋根通気空間が設けられ、この屋根通気空間は、前記外側通気空間及び／又は内側通気空間、前記屋根裏若しくは最上階の天井裏、の双方と連通していることを特徴とする請求項１に記載のエアーアクト構造を備えたコンクリート住宅である。
【０００７】
請求項４記載の発明は、前記連通手段が各階の上部と下部に夫々設けられていることを特徴とする請求項１乃至３いずれかに記載のエアーアクト構造を備えたコンクリート住宅である。
【０００８】
請求項５記載の発明は、共同住宅の各階において、主採光方位側の住宅外部壁を構成するコンクリート壁の壁面及び前記主採光方位とは反対方位側の住宅外部壁を構成するコンクリート壁の壁面に沿って、断熱パネルを介して相互に仕切られた外側通気空間と内側通気空間が設けられ、前記外側通気空間と内側通気空間の間にはこれらの空間を連通させる連通手段が設けられるとともにこの連通手段は主採光方位側では上部と下部に、反対方位側では少なくとも下部に設けられ、下部の連通手段はそれぞれ開閉可能に構成され、主採光方位側の前記外側通気空間には上部と下部に屋外連通口が設けられ、反対方位側の前記外側通気空間には少なくとも下部に屋外連通口が設けられ、天井裏には送風方向を逆転可能な送風機が設けられ、夏季には、反対方位側下部の前記連通手段を開けるとともに主採光方位側下部の前記連通手段を閉じ、前記送風機の送風方向を第１の向きに設定することにより、反対方位側の前記屋外連通口から外気を前記内側通気空間を通じて天井裏に導入し、導入した外気を主採光方位側の前記屋外連通口から排出し、冬季には、主採光方位側下部の前記連通手段を開けるとともに反対方位側下部の前記連通手段を閉じ、前記送風機の送風方向を第２の向きに設定することにより、主採光方位側の前記外側通気空間内の空気を主採光方位側上部の前記連通手段を通じて天井裏に導入し、導入した空気を反対方位側の前記内側通気空間を通じて床下に導入し、床下に導入した空気を主採光方位側の前記内側通気空間に導入することを特徴とするエアーアクト構造を備えたコンクリート住宅である。
【０００９】
請求項６記載の発明は、主採光方位側の前記外側通気空間の外側に温室が設けられるとともにこの温室は外側通気空間の上部にある前記屋外連通口から下部にある前記屋外連通口にかけての部分を覆っていることを特徴とする請求項５に記載のエアーアクト構造を備えたコンクリート住宅である。
これらの発明を提供することにより、上記課題を悉く解決する。
【００１０】
【発明の実施の形態】
本発明に係るエアーアクト構造を備えたコンクリート住宅（以下、エアーアクト住宅と称する）には、戸建住宅と、マンションやアパート等の共同住宅とがある。以下に示す第１乃至４実施形態は戸建住宅の場合を示し、第５乃至８実施形態は共同住宅の場合を示している。
【００１１】
以下、本発明の実施形態について図面を参照しつつ説明する。
図１は、本発明に係るエアーアクト住宅の第１実施形態を示す断面図であり、夏季における作用を示す図である。図２は、第１実施形態の冬季における作用を示す図である。図３は、第１実施形態の住宅外部壁付近の構造を抽出して示す断面図である。
尚、図１，２は、２階建て住宅の全体を示し、図３は、３階建て住宅の中央部を示している。
【００１２】
第１実施形態に係るエアーアクト住宅（１）は戸建住宅であって、住宅外部壁の一構成要素であるコンクリート壁（２）の内側にそれぞれ断熱パネル（３）が密着状態で設けられ、この断熱パネル（３）の内側に内壁パネル（４）が設けられ、更にコンクリート壁（２）の外側にそれぞれ外壁パネル（２５）が設けられている。
外壁パネル（２５）とコンクリート壁（２）の間には外側通気空間（５）が形成され、断熱パネル（３）と内壁パネル（４）の間に内側通気空間（６）が形成されている。
尚、主採光方位とは主な日照方位のことである。その方位は、例えば、南、東、南東、南西とすることができるが、地域によってはこの方位以外でもよく、特に限定されない。
従って、主採光方位の反対方位は、主採光方位を南、東、南東、南西に設定した場合、それぞれ、北、西、北西、北東となる。
【００１３】
外側通気空間（５）と内側通気空間（６）の間には、これらの空間を相互に連通させる連通手段（７）が設けられている。連通手段（７）は、通気孔と、この通気孔に設けられたエアダンパーとからなる。連通手段（７）は、各階の上部と下部にそれぞれ設けられ、上部の連通手段（７ｂ）は、エアダンパーによって空気を屋外側から屋内側へ向けてのみ流し、下部の連通手段（７ａ）は、エアダンパーによって空気を屋内側から屋外側へ向けてのみ流し、いずれも逆流を防止するように構成されている。
【００１４】
階下と階上を仕切る床スラブ（１０）には通気孔（３１）が設けられ、この通気孔（３１）が、階下の外側通気空間（５）及び内側通気空間（６）と、階上の外側通気空間（５）及び内側通気空間（６）とを相互に連通させている。
また、各階において、外側通気空間（５）及び内側通気空間（６）の下部は床下空間（１１）と連通し、上部は天井裏空間（１２）と連通している。
【００１５】
基礎部（１３）の地上梁（１４）には、床下換気孔（１５）が開閉可能に設けられている。
屋根裏空間（１６）若しくは最上階の天井裏空間（１２）には、１階の床下空間（１１）から外側通気空間（５）及び／又は内側通気空間（６）を通じて屋根裏空間（１６）若しくは最上階の天井裏空間（１２）に導入された空気を各階の天井裏空間（１２）及び床下空間（１１）、又は、屋外へ選択的に導く送風機（１８）が設けられている。
送風機（１８）は、商用電源、又は、屋根（２１）上に設けた太陽電池パネル（４０）から得た電力によって作動するように構成することができる。
【００１６】
間仕切り壁（１９）内には、屋根裏空間（１６）若しくは最上階の天井裏空間と１階の床下空間（１１）とを連通させる壁裏通気空間（１７）が設けられている。
【００１７】
尚、この第１実施形態では、最上階に設けられた屋根（２１）部材の内部に屋根面に沿って広がる屋根通気空間（２０）が設けられていることが好ましい。この屋根通気空間（２０）は、外側通気空間（５）及び／又は内側通気空間（６）、屋根裏空間（１６）若しくは最上階の天井裏空間（１２）、の双方と通気孔（３２）を介して連通している。
尚、この第１実施形態では、必ずしも送風機（１８）が設けられている必要はなく、自然対流のみに頼ったエアーアクト構造とすることも可能である。
【００１８】
次に、この第１実施形態の作用について説明する。
尚、図示例では、主採光方位を南とし、その反対方位を北としている。
このエアーアクト住宅（１）は、夏季には涼しく、冬季には温かく室内を保つように構成されたものである。
夏季には、図１に示す如く、主採光方位側とその反対方位側双方の床下換気孔（１５）を開く。東西南北等、多数の方位側に床下換気孔（１５）が設けられている場合には、これら全ての床下換気孔（１５）を開く。すると、１階の床下空間（１１）に外気が導入される。導入された外気は、床下の土間コンクリート或いは基礎コンクリート（いずれも外気温の影響を受けにくい。ちなみにコンクリート製床スラブも同様）によって冷却される。冷却された外気は、主採光方位側とその反対方位側の双方において、連通手段（７）を通じて外側通気空間（５）及び内側通気空間（６）内に入る。外側通気空間（５）及び内側通気空間（６）内に入った外気は、太陽熱によって温められたコンクリート壁（２）の熱を奪う。
【００１９】
温められた外気（熱気）は、外側通気空間（５）及び内側通気空間（６）内を上昇し、連通手段（７）を通じて屋根裏空間（１６）に導入される。２階建て住宅の場合、階下の熱気は、床スラブ（１０）の通気孔（３１）を通じて階上の外側通気空間（５）及び内側通気空間（６）内へ入り、その後、屋根裏空間（１６）へ入る。
【００２０】
屋根裏空間（１６）に入った熱気は、屋根（２１）下部の通気孔（３２）を通じて屋根（２１）部材の内部に入る。屋根（２１）部材内部に入った熱気は、屋根（２１）に照り付ける太陽光の熱を奪う。屋根（２１）部材内部の熱気は、屋根（２１）上部の通気孔（３２）を通じて屋根裏空間（１６）へ導入され、屋根裏換気孔（３３）から排出される。屋根裏換気孔（３３）は開閉可能に構成されており、夏季には開放されている。
【００２１】
尚、送風機（１８）を屋根裏空間（１６）に設けている場合には、この送風機（１８）が屋根（２１）部材から出てくる熱気を吸引し、屋根裏換気孔（３３）から勢いよく排出する。
送風機（１８）の下流側には、気流方向切換弁を備えた弁箱（２２）が設けられている。この弁箱（２２）には、送風機（１８）が送り出す空気を各階の天井裏空間（１２）及び床下空間（１１）に導くための第１ダクト（２３）と、送風機（１８）が送り出す空気を屋根裏換気孔（３３）へ導くための第２ダクト（２４）とが接続されている。気流方向切換弁は、送風機（１８）が送り出す空気をいずれのダクトへ送り出すのかを制御する。
従って、夏季には、気流方向切換弁を操作して、送風機（１８）が送り出す空気を第２ダクト（２４）へ向ける。
【００２２】
一方、冬季には、図２に示す如く、主採光方位側とその反対方位側双方の床下換気孔（１５）を閉じる。東西南北等、多数の方位側に床下換気孔（１５）が設けられている場合には、これら全ての床下換気孔（１５）を閉じる。外側通気空間（５）及び内側通気空間（６）内の空気は、太陽熱によって温められたコンクリート壁（２）の熱を奪う。
【００２３】
温められた空気（暖気）は、外側通気空間（５）及び内側通気空間（６）内を上昇し、連通手段（７）を通じて屋根裏空間（１６）に導入される。２階建て住宅の場合、階下の暖気は、床スラブ（１０）の通気孔（３１）を通じて階上の外側通気空間（５）及び内側通気空間（６）内へ入り、その後、屋根裏空間（１６）へ入る。
【００２４】
屋根裏空間（１６）に入った暖気は、屋根（２１）下部の通気孔（３２）を通じて屋根（２１）部材の内部に入る。屋根（２１）部材内部に入った暖気は、屋根（２１）に照り付ける太陽光の熱を奪う。屋根（２１）部材内部の暖気は、屋根（２１）上部の通気孔（３２）を通じて屋根裏空間（１６）へ導入される。このとき、屋根裏換気孔（３３）は閉じられている。
屋根裏空間（１６）に入った暖気は、気流方向切換弁の切換操作によって、間仕切り壁（１９）内部の壁裏通気空間（１７）を降下する。壁裏通気空間（１７）内の暖気は、間仕切り壁（１９）を介して室内を暖める。
【００２５】
壁裏通気空間（１７）の中途部は各階の天井裏空間（１２）及び床下空間（１１）に連通しており、また、壁裏通気空間（１７）の下端は１階の床下空間（１１）に連通しているので、暖気は、壁裏通気空間（１７）を通じて各階の天井裏空間（１２）及び床下空間（１１）に導入される。天井裏空間（１２）及び床下空間（１１）に導入された暖気は、各部屋を温める。
【００２６】
各階の天井裏空間（１２）及び床下空間（１１）は、外側通気空間（５）及び内側通気空間（６）に連通している。従って、天井裏空間（１２）及び床下空間（１１）内の暖気は、外側通気空間（５）及び内側通気空間（６）内に導入される。導入された暖気は、太陽光の熱によって再び加熱される。
尚、１階の床下空間（１１）に到達した暖気は、土間コンクリート或いは基礎コンクリート（上記した如く、いずれも外気温の影響を受けにくい。ちなみにコンクリート製床スラブも同様）から熱を奪い、温度がより一層高くなる。
【００２７】
この第１実施形態によれば、夏と冬とで室内の温度差が大きくならず、冷暖房の消費電力を従来より大幅に低減することができる。
【００２８】
次に、本発明の第２実施形態について説明する。
この第２実施形態が第１実施形態と異なる点は、住宅外部壁の構造である。この第２実施形態では、図４に示す如く、住宅外部壁の一構成要素であるコンクリート壁（２）の外側にそれぞれ断熱パネル（３）が密着状態で設けられるとともに、この断熱パネル（３）の外側に外壁パネル（２５）が設けられ、更にコンクリート壁（２）の内側にそれぞれ内壁パネル（４）が設けられている。外壁パネル（２５）と断熱パネル（３）の間には外側通気空間（５）が形成され、コンクリート壁（２）と内壁パネル（４）の間には内側通気空間（６）が形成されている。
この壁構造以外の構成は、第１実施形態と同様とすることができる。
この第２実施形態においても、第１実施形態と同様の作用、効果を奏することができる。
【００２９】
次に、本発明の第３実施形態について説明する。
この第３実施形態が第１実施形態と異なる点は、住宅外部壁の構造である。この第３実施形態では、図５に示す如く、住宅外部壁の一構成要素であるコンクリート壁（２）の外側にそれぞれ断熱パネル（３）が設けられるとともに、この断熱パネル（３）の外側に外壁パネル（２５）が設けられている。外壁パネル（２５）と断熱パネル（３）の間には外側通気空間（５）が形成され、断熱パネル（３）とコンクリート壁（２）の間には内側通気空間（６）が形成されている。内側通気空間（６）は、コンクリート壁（２）に形成された換気孔（３６）を通じて床下空間（１１）又は天井裏空間（１２）と連通している。
この壁構造以外の構成は、第１実施形態と同様とすることができる。
この第３実施形態においても、第１実施形態と同様の作用、効果を奏することができる。
【００３０】
次に、本発明の第４実施形態について説明する。
この第４実施形態が第１実施形態と異なる点は、住宅外部壁の構造である。この第４実施形態では、図６に示す如く、住宅外部壁の一構成要素であるコンクリート壁（２）の内側にはそれぞれ断熱パネル（３）が設けられ、この断熱パネル（３）の内側には内壁パネル（４）が設けられている。
コンクリート壁（２）と断熱パネル（３）の間には外側通気空間（５）が形成され、断熱パネル（３）と内壁パネル（４）の間には内側通気空間（６）が形成されている。外側通気空間（５）は、コンクリート壁（２）に形成された換気孔（３６）を通じて屋外と連通している。
この壁構造以外の構成は、第１実施形態と同様とすることができる。
この第４実施形態においても、第１実施形態と同様の作用、効果を奏することができる。
【００３１】
次に、本発明の第５実施形態について説明する。
図７は、本発明の第５実施形態を示す断面図であり、夏季の状態を示す断面図である。図８は、第５実施形態の冬季の状態を示す断面図である。図９は、第５実施形態の住宅外部壁付近の構造を抽出して示す断面図である。
第５実施形態に係るエアーアクト住宅（１）は、マンションやアパート等の共同住宅であって、共同住宅の各階において、住宅外部壁の一構成要素であるコンクリート壁（２）に沿って、断熱パネル（３）を介して相互に仕切られた外側通気空間（５）と内側通気空間（６）が設けられ、図示例では、主採光方位側の住宅外部壁及びその反対方位側の住宅外部壁にこれら通気空間（５）（６）が設けられている。
【００３２】
外側通気空間（５）と内側通気空間（６）の間には、これらの空間を連通させる連通手段（７）が設けられている。この連通手段（７）は、主採光方位側の住宅外部壁では上部と下部に（７ｂ，７ａ）、反対方位側の住宅外部壁では少なくとも下部に（７ａ）設けられている。下部の連通手段（７ａ）はそれぞれ開閉可能に構成されている。
【００３３】
主採光方位側の外側通気空間（５）には上部と下部にそれぞれ屋外連通口（３７）が設けられ、反対方位側の外側通気空間（５）には少なくとも下部に屋外連通口（３７）が設けられている。
天井裏空間（１２）には、送風方向を逆転可能な送風機（１８）が設けられている。
【００３４】
住宅外部壁の具体的な構造は、図９に示す如き構成とされる。すなわち、主採光方位側のコンクリート壁（２）及び反対方位側のコンクリート壁（２）の内側にそれぞれ断熱パネル（３）が密着状態で設けられ、この断熱パネル（３）の内側に内壁パネル（４）が設けられ、更にコンクリート壁（２）の外側にそれぞれ外壁パネル（２５）が設けられている。
外壁パネル（２５）とコンクリート壁（２）の間には外側通気空間（５）が形成され、断熱パネル（３）と内壁パネル（４）の間に内側通気空間（６）が形成されている。
【００３５】
次に、この第５実施形態の作用について説明する。
夏季には、図７に示す如く、前記反対方位側下部の連通手段（７ａ）を開けるとともに主採光方位側下部の連通手段（７ａ）を閉じ、送風機（１８）の送風方向を第１の向き（反対方位側から主採光方位側へ空気を送り出す向き）に設定する。
【００３６】
すると、反対方位側の屋外連通口（３７）から外気が内側通気空間（６）を通じて天井裏空間（１２）に導入される。導入された外気は、天井裏空間（１２）内の熱気とともに主採光方位側の屋外連通口（３７）から排出される。
また、主採光方位側の外側通気空間（５）内の熱気が、外側通気空間（５）内を上昇し、主採光方位側上部の屋外連通口（３７）から排出される。
この間、外気は、内壁パネル（４）及び天井パネル（２６）を介して室内の熱を奪う。
【００３７】
一方、冬季には、図８に示す如く、主採光方位側下部の連通手段（７ａ）を開けるとともに反対方位側下部の連通手段（７ａ）を閉じ、送風機（１８）の送風方向を第２の向き（主採光方位側から反対方位側へ空気を送り出す向き）に設定する。
【００３８】
すると、主採光方位側の外側通気空間（５）内の空気（暖気）が主採光方位側上部の連通手段（７ｂ）を通じて天井裏空間（１２）に導入される。導入された暖気は、反対方位側の内側通気空間（６）を通じて床下空間（１１）に導入される。床下空間（１１）に導入された暖気は、主採光方位側の内側通気空間（６）に導入される。
この間、天井パネル（２６）、内壁パネル（４）、床パネル（２７）を介して暖気の熱が室内に伝わり、室内が暖められる。
【００３９】
尚、間仕切り壁（１９）の内部に壁裏通気空間（１７）を形成してもよい。壁裏通気空間（１７）の上端部は天井裏空間（１２）に連通され、下端部は床下空間（１１）に連通される。
この場合、冬季には、間仕切り壁（１９）内にも暖気が導入されるので、より一層速やかに室内が暖められる。また、夏季には、間仕切り壁（１９）内にも外気が導入されるので、より一層速やかに室内の熱が放出される。
【００４０】
この第５実施形態によれば、夏と冬とで室内の温度差が大きくならず、冷暖房の消費電力を従来より大幅に低減することができる。
【００４１】
次に、本発明の第６実施形態について説明する。
この第６実施形態が第５実施形態と異なる点は、住宅外部壁の構造である。この第６実施形態では、図１０に示す如く、住宅外部壁の一構成要素であるコンクリート壁（２）の外側にそれぞれ断熱パネル（３）が密着状態で設けられるとともに、この断熱パネル（３）の外側に外壁パネル（２５）が設けられ、更にコンクリート壁（２）の内側にそれぞれ内壁パネル（４）が設けられている。外壁パネル（２５）と断熱パネル（３）の間には外側通気空間（５）が形成され、コンクリート壁（２）と内壁パネル（４）の間には内側通気空間（６）が形成されている。
この壁構造以外の構成は、第５実施形態と同様とすることができる。
この第６実施形態においても、第５実施形態と同様の作用、効果を奏することができる。
【００４２】
次に、本発明の第７実施形態について説明する。
この第７実施形態が第５実施形態と異なる点は、住宅外部壁の構造である。この第７実施形態では、図１１に示す如く、住宅外部壁の一構成要素であるコンクリート壁（２）の外側にそれぞれ断熱パネル（３）が設けられるとともに、この断熱パネル（３）の外側に外壁パネル（２５）が設けられている。外壁パネル（２５）と断熱パネル（３）の間には外側通気空間（５）が形成され、断熱パネル（３）とコンクリート壁（２）の間には内側通気空間（６）が形成されている。内側通気空間（６）は、コンクリート壁（２）に形成された換気孔（３６）を通じて床下空間（１１）又は天井裏空間（１２）と連通している。
この壁構造以外の構成は、第５実施形態と同様とすることができる。
この第７実施形態においても、第５実施形態と同様の作用、効果を奏することができる。
【００４３】
次に、本発明の第８実施形態について説明する。
この第８実施形態が第５実施形態と異なる点は、住宅外部壁の構造である。この第８実施形態では、図１２に示す如く、住宅外部壁の一構成要素であるコンクリート壁（２）の内側にはそれぞれ断熱パネル（３）が設けられ、この断熱パネル（３）の内側には内壁パネル（４）が設けられている。
コンクリート壁（２）と断熱パネル（３）の間には外側通気空間（５）が形成され、断熱パネル（３）と内壁パネル（４）の間には内側通気空間（６）が形成されている。外側通気空間（５）は、コンクリート壁（２）に形成された換気孔（３７）を通じて屋外と連通している。
この壁構造以外の構成は、第５実施形態と同様とすることができる。
この第８実施形態においても、第５実施形態と同様の作用、効果を奏することができる。
【００４４】
尚、上記第５乃至８実施形態においては、図１３及び１４に示す如く、主採光方位側の外側通気空間（５）の外側に温室（２８）を設けてもよい。この温室（２８）は、上部の屋外連通孔（３７）から下部の屋外連通孔（３７）にかけての部分を覆っている。
温室（２８）は、通常、各階のベランダ（２９）に設置される。温室（２８）の構成素材は特に限定されるものではないが、例えば透明のガラスから構成することができる。
また、温室（２８）には太陽熱温水器（３０）を付属させることもできる。
【００４５】
この形態においては、温室（２８）内が効率よく暖められるので、その熱が外側通気空間（５）内の空気をより一層速やかに暖めることができる。これにより、冬季には（図１３参照）、住居空間の加熱を一層速やかに行うことができる。夏季には（図１４参照）、温室（２８）内の熱は外側通気空間（５）の空気に伝えられた後、その空気は送風機（１８）の送風力によって上部の屋外連通孔（３７）から速やかに排出される。
【００４６】
【発明の効果】
本発明によれば、夏と冬とで室内の温度差が大きくならず、冷暖房の消費電力を従来より大幅に低減することができるエアーアクト構造を備えたコンクリート住宅を提供することができる。
【図面の簡単な説明】
【図１】本発明に係るエアーアクト住宅の第１実施形態を示す断面図であり、夏季における作用を示す図である。
【図２】本発明に係るエアーアクト住宅の第１実施形態を示す断面図であり、冬季における作用を示す図である。
【図３】第１実施形態の住宅外部壁付近の構造を抽出して示す断面図である。
【図４】第２実施形態の住宅外部壁付近の構造を抽出して示す断面図である。
【図５】第３実施形態の住宅外部壁付近の構造を抽出して示す断面図である。
【図６】第４実施形態の住宅外部壁付近の構造を抽出して示す断面図である。
【図７】本発明の第５実施形態を示す断面図であり、夏季の状態を示す図である。
【図８】本発明の第５実施形態を示す断面図であり、冬季の状態を示す図である。
【図９】第５実施形態の住宅外部壁付近の構造を抽出して示す断面図である。
【図１０】第６実施形態の住宅外部壁付近の構造を抽出して示す断面図である。
【図１１】第７実施形態の住宅外部壁付近の構造を抽出して示す断面図である。
【図１２】第８実施形態の住宅外部壁付近の構造を抽出して示す断面図である。
【図１３】第５実施形態の他の実施例を示す断面図であり、夏季の状態を示す図である。
【図１４】第５実施形態の他の実施例を示す断面図であり、冬季の状態を示す図である。
【符号の説明】
１・・・・・エアーアクト住宅
２・・・・・コンクリート壁
３・・・・・断熱パネル
４・・・・・内壁パネル
５・・・・・外側通気空間
６・・・・・内側通気空間
７ａ・・・・下部の連通手段
７ｂ・・・・上部の連通手段
１１・・・・床下空間
１２・・・・天井裏空間
１３・・・・基礎部
１４・・・・地上梁
１６・・・・屋根裏空間
１７・・・・壁裏通気空間
１８・・・・送風機
１９・・・・間仕切り壁
２０・・・・屋根通気空間
２１・・・・屋根
２８・・・・温室
３７・・・・屋外連通孔
【図１】
0003898483.tif 000002
【図２】
0003898483.tif 000003
【図３】
0003898483.tif 000004
【図４】
0003898483.tif 000005
【図５】
0003898483.tif 000006
【図６】
0003898483.tif 000007
【図７】
0003898483.tif 000008
【図８】
0003898483.tif 000009
【図９】
0003898483.tif 000010
【図１０】
0003898483.tif 000011
【図１１】
0003898483.tif 000012
【図１２】
0003898483.tif 000013
【図１３】
0003898483.tif 000014
【図１４】
0003898483.tif 000015